(57)【要約】モータ軸に対してファンをワンタッチで取り付けることが可能であるとともに、安定してファンを保持することができ、且つ操作性の良いファンのワンタッチ着脱装置を提供することを目的とする。ベース１０に移動可能に取り付けられた操作部材６と、モータ軸４の被係合部と係合可能な係合部が形成され、操作部材６の移動によりモータ軸４の方向に往復移動可能な係合片４１と、移動した操作部材６を元に復帰させる戻しばね８とを備える。操作部材６の移動に伴って相互に当接及び離反することにより係合片４１をモータ軸４の方向へ往復移動させる係合機構３１，３２が設けられる。
2012026471.tif 000002
【特許請求の範囲】
【請求項１】
ファンを回転させるファンモータのモータ軸が挿入されることにより、モータ軸に着脱自在に装着されてファンをモータ軸に連結するファンのワンタッチ着脱装置であって、
前記モータ軸が挿入されるモータ軸挿入孔が形成され、前記ファンに固定されるカバーの内部に固定されるベースと、
前記ベースに移動可能に取り付けられるガイド部及び操作部を有した操作部材と、
前記モータ軸の外周面の被係合部と係合可能な係合部が形成され、前記モータ軸の方向に往復移動可能に前記ガイド部を挟んだ状態で前記ベースに設けられた係合片と、
前記操作部への操作によって移動した操作部材を元に復帰させる戻しばねとを備え、
前記係合片における前記ガイド部を挟んだ部位及びこれに対応したガイド部の対応部位には、前記ガイド部の移動に伴って相互に当接及び離反することにより係合片をモータ軸の方向へ往復移動させる係合機構が設けられ、前記係合機構の当接及び離反によって前記係合片がモータ軸に対して進退して係合片の係合部がモータ軸の被係合部と係合及び解除することを特徴とするファンのワンタッチ着脱装置。  
【請求項２】
請求項1記載のファンのワンタッチ着脱装置であって、
前記係合機構は、前記ガイド部の内径をガイド部の移動方向に沿って変化させた内径変化部と、前記ガイド部の外面に形成された支持凸部と、前記係合片における前記ガイド部を挟んだ一側に設けられ前記内径変化部に当接可能な第１係合凸部と、前記係合片におけるガイド部を挟んだ他側に設けられ前記支持凸部に当接可能な第２係合凸部とによって形成されていることを特徴とするファンのワンタッチ着脱装置。
【請求項３】
請求項１又は２記載のファンのワンタッチ着脱装置であって、
前記係合片は前記モータ軸挿入孔内に進出することにより前記モータ軸の被係合部と係合し、前記係合片のモータ軸挿入孔への進出を阻止すると共に前記モータ軸挿入孔へのモータ軸の挿入によって前記進出阻止を解除するホールド機構が前記ベースに設けられていることを特徴とするファンのワンタッチ着脱装置。
【請求項４】
請求項１〜３のいずれか１項記載のファンのワンタッチ着脱装置であって、
前記操作部材のガイド部は前記ベースに対して回動可能又は直線移動可能となっていることを特徴とするファンのワンタッチ着脱装置。
【請求項５】
請求項１〜４のいずれか１項記載のファンのワンタッチ着脱装置であって、
前記係合片は、前記ガイド部を挟んだ状態でガイド部と接触している作用駒と、モータ軸の前記被係合部に係合可能な前記係合部を持つロック駒とからなり、作用駒とロック駒は互いにテーパ面を介して接触し、前記ロック駒及び作用駒のテーパ面は、前記モータ軸からのロック駒の抜けを阻止する方向に傾斜していることを特徴とするファンのワンタッチ着脱装置。
【請求項６】
請求項1〜５のいずれか１項記載のファンのワンタッチ着脱装置であって、
前記係合片は、前記モータ軸挿入孔を挟んだ両側における少なくとも片側に設けられていることを特徴とするファンのワンタッチ着脱装置。
【請求項７】
請求項１〜６のいずれか１項記載のファンのワンタッチ着脱装置であって、
前記係合片の前記係合部及びモータ軸の前記被係合部は互いに噛み合うねじ山を備えたねじ部であることを特徴とするファンのワンタッチ着脱装置
【請求項８】
請求項７記載のワンタッチ着脱装置であって、
前記ロック駒は、前記ロック駒の前記ねじ部をモータ軸の前記ねじ部に係合させるために前記ロック駒をモータ軸の軸方向に沿って移動可能とする弾性体を介して前記ベースに設けられていることを特徴とするファンのワンタッチ着脱装置。
【発明の詳細な説明】
【技術分野】
【０００１】
本発明は、台所のレンジフード等のファンをファンモータのモータ軸に対してワンタッチで着脱するために用いられる着脱装置に関する。
【背景技術】
【０００２】
一般に、レンジフードのファンをファンモータに取り付けるため、ファンモータのモータ軸のねじ部をファンの天板部に貫通させ、ねじ部の貫通端に左ねじのナットを螺合させて締め付けている。このため、片方の手でファンを持ちながらもう一方の手でナットを回転させる作業が必要であるのに加え、レンジフードの下に設置されている調理台を避けながら作業する必要があり、ファンの取り付けや交換の作業がしづらい問題がある。このようなことを考慮して、特許文献１には、ファンの取り付けをワンタッチで行うことが可能な従来のファンの着脱装置が提案されている。【０００３】
この従来のファンの着脱装置は、ファンモータのモータ軸に回り止め用の係合ピンと環状の係止溝とを設ける一方、モータ軸が挿入されるファンのボス部に対してモータ軸の係合ピンと係合する係合凹部と、ばねの付勢力によってモータ軸の係止溝に係止してファンを抜け止め状態に保持する保持部と、ばねの付勢力に抗して前記保持部を移動させて保持部と係止溝との係止を解除する解除部材とを備えている。【０００４】
この従来のファンの着脱装置においては、ファンモータのモータ軸をファンのボス部に挿入し、モータ軸の係止溝をファンの保持部に係止させることによりファンをファンモータのモータ軸に取り付ける。一方、解除部材を操作して保持部を移動させ、保持部と係止溝との係止を解除することによりファンをモータ軸から取り外す。これにより、ファンのモータ軸への着脱をワンタッチで行うことができ、ファンの装着や交換の作業性を向上させることができる。
【先行技術文献】
【特許文献】
【０００５】
【特許文献１】特開２００９−２７０５５０号公報
【発明の概要】
【発明が解決しようとする課題】
【０００６】
しかしながら、従来のファンの着脱装置では、係止溝を片側から保持部で保持しているため安定して保持することができないという問題があった。また、保持部を付勢するためのばねと保持部と解除部材がモータ軸を通る直線状に配置されており、容易に保持状態が解除されないようにするためには、強力なばねを使用する必要があり、その場合には保持状態を解除する操作に大きな力が必要となってしまい、操作性が悪くなってしまうという問題点があった。【０００７】
本発明は、このような従来の問題点を考慮してなされたものであり、モータ軸に対してファンをワンタッチで取り付けることが可能であるとともに、安定してファンを保持することができ、且つ操作性の良いファンのワンタッチ着脱装置を提供することを目的とする。
【課題を解決するための手段】
【０００８】
本発明のファンのワンタッチ着脱装置は、ファンを回転させるファンモータのモータ軸が挿入されることにより、モータ軸に着脱自在に装着されてファンをモータ軸に連結するファンのワンタッチ着脱装置であって、前記モータ軸が挿入されるモータ軸挿入孔が形成され、前記ファンに固定されるカバーの内部に固定されるベースと、前記ベースに移動可能に取り付けられるガイド部及び操作部を有した操作部材と、前記モータ軸の外周面の被係合部と係合可能な係合部が形成され、前記モータ軸の方向に往復移動可能に前記ガイド部を挟んだ状態で前記ベースに設けられた係合片と、前記操作部への操作によって移動した操作部材を元に復帰させる戻しばねとを備え、前記係合片における前記ガイド部を挟んだ部位及びこれに対応したガイド部の対応部位には、前記ガイド部の移動に伴って相互に当接及び離反することにより係合片をモータ軸の方向へ往復移動させる係合機構が設けられ、前記係合機構の当接及び離反によって前記係合片がモータ軸に対して進退して係合片の係合部がモータ軸の被係合部と係合及び解除することを特徴とする。【０００９】
このような発明では、操作部材のガイド部を移動させることにより、係合機構を介して係合片をベースのモータ軸挿入孔から退避させる。この状態でファンモータのモータ軸をモータ軸挿入孔に挿入し、その後、操作部材の操作を解除することにより戻しばねが操作部材を元に復帰させる。この復帰により係合機構を介して係合片がモータ軸の方向に進出するため、係合片の係合部とモータ軸の被係合部とが係合し、モータ軸への装着を行うことができる。【００１０】
上述したモータ軸への装着状態に対し、操作部材を逆方向に移動させることにより、係合機構を介して係合片がモータ軸から退避するため、係合片の係合部とモータ軸の被係合部との係合が解除する。これにより、モータ軸からの取り外しを行うことができる。以上により、モータ軸への着脱をワンタッチで行うことができ、且つ操作性が良く安定した状態でファンをモータ軸へ保持させることができる。【００１１】
本発明において、前記係合機構としては、前記ガイド部の内径をガイド部の移動方向に沿って変化させた内径変化部と、前記ガイド部の外面に形成された支持凸部と、前記係合片における前記ガイド部を挟んだ一側に設けられ前記内径変化部に当接可能な第１係合凸部と、前記係合片におけるガイド部を挟んだ他側に設けられ前記支持凸部に当接可能な第２係合凸部とによって形成されていることが好ましい。【００１２】
又、前記係合片は前記モータ軸挿入孔内に進出することにより前記モータ軸の被係合部と係合し、前記係合片のモータ軸挿入孔への進出を阻止すると共に前記モータ軸挿入孔へのモータ軸の挿入によって前記進出阻止を解除するホールド機構が前記ベースに設けられていることが好ましい。
このようにホールド機構を設けることによりモータ軸挿入孔内への係合片の進出が阻止されるため、操作部材を操作することなくモータ軸をモータ軸挿入孔内に円滑に挿入することができる。【００１３】
又、前記操作部材のガイド部は前記ベースに対して回動可能又は直線移動可能となっていることが好ましい。
このような構造とすることにより操作部材への操作性が向上する。【００１４】
又、前記係合片は、前記ガイド部を挟んだ状態でガイド部と接触している作用駒と、モータ軸の前記被係合部に係合可能な前記係合部を持つロック駒とからなり、作用駒とロック駒は互いにテーパ面を介して接触し、前記ロック駒及び作用駒のテーパ面は、前記モータ軸からのロック駒の抜けを阻止する方向に傾斜していることが好ましい。
この場合、モータ軸からファンが抜ける方向に力が加わってもファンが抜けることを防止することができ安定した保持状態を保つことができる。【００１５】
又、前記係合片は、前記モータ軸挿入孔を挟んだ両側における少なくとも片側に設けられていることが好ましい。
このように係合片がモータ軸の両側における少なくとも片側から係合することにより安定した状態でファンを保持することができる。【００１６】
又、前記係合片の前記係合部及びモータ軸の前記被係合部は互いに噛み合うねじ山を備えたねじ部であることが好ましい。
この場合、左ねじを用いた従前のモータ軸に対しても、そのまま適用することができ、モータ軸を専用の構造とする必要がなく、汎用性を有したものとすることができる。【００１７】
又、前記ロック駒は、前記ロック駒の前記ねじ部をモータ軸の前記ねじ部に係合させるために前記ロック駒をモータ軸の軸方向に沿って移動可能とする弾性体を介して前記ベースに設けられていることが好ましい。
このように弾性体がロック駒をモータ軸の軸方向に沿って移動可能とすることにより、ロック駒のねじ部の山谷をモータ軸のねじ部の山谷に自動的に一致させることができる。従って、ロック駒とモータ軸との係合を確実に行うことができる。
【発明の効果】
【００１８】
本発明によれば、モータ軸に対してファンをワンタッチで取り付けることが可能であるとともに、安定してファンを保持することができ、且つ操作性の良いファンのワンタッチ着脱装置を提供することができる。
【図面の簡単な説明】
【００１９】
【図１】本発明の一実施形態のファンのワンタッチ着脱装置をファンに取り付ける状態を示す斜視図である。
【図２】本発明の一実施形態のファンのワンタッチ着脱装置の底面図である。
【図３】本発明の実施の形態１のファンのワンタッチ着脱装置の側面図である。
【図４】図３におけるＡ矢視図である。
【図５】本発明の実施の形態１のロック解除状態を示す断面図であり、図６のＣ−Ｃ線断面図である。
【図６】本発明の実施の形態１のロック解除状態を示す図２のＢ−Ｂ線断面図である。
【図７】本発明の実施の形態１のロック状態を示す図５に対応した断面図である。
【図８】本発明の実施の形態１のロック状態を示す図６に対応した断面図である。
【図９】本発明の実施の形態１のロック駒のモータ軸への係合前の状態を示す断面図である。
【図１０】本発明の実施の形態１のロック駒のモータ軸への係合状態を示す断面図である。
【図１１】本発明の実施の形態２のファンのワンタッチ着脱装置をモータ軸線を含む平面で切断した断面図（ロック状態）である。
【図１２】図１１のＤ−Ｄ線断面図である。
【図１３】本発明の実施の形態２のファンのワンタッチ着脱装置をモータ軸線を含む平面で切断した断面図（ロック解除状態）である。
【図１４】図１３のＥ−Ｅ線断面図である。
【図１５】本発明の実施の形態３におけるファンのワンタッチ着脱装置のモータ軸への取り付け前における断面であり、図２におけるＢ−Ｂ線に対応した断面図である。
【図１６】実施の形態３におけるモータ軸の挿入初期状態を示す断面図である。
【図１７】実施の形態３におけるモータ軸の挿入終了状態を示す断面図である。
【図１８】実施の形態３におけるモータ軸への取り付け状態を示す断面図である。
【図１９】実施の形態３におけるモータ軸への不完全な取り付け状態を示す断面図である。
【図２０】本発明の実施の形態４におけるファンのワンタッチ着脱装置を示す平面図である。
【図２１】図２０のＦ−Ｆ線断面図である。
【図２２】実施の形態４におけるモータ軸への取り付け前の状態を示す図２１のＧ−Ｇ線断面図である。
【図２３】実施の形態４におけるモータ軸への取り付け状態を示す図２１のＧ−Ｇ線断面図である。
【図２４】本発明の実施の形態５におけるファンのワンタッチ着脱装置を示す平面図である。
【図２５】図２４におけるＨ−Ｈ線断面図である。
【図２６】実施の形態５におけるモータ軸への取り付け前の状態を示す図２５のＩ−Ｉ線断面図である。
【図２７】実施の形態５におけるモータ軸への取り付け状態を示す図２５のＩ−Ｉ線断面図である。
【図２８】本発明の実施の形態６におけるファンのワンタッチ着脱装置を示す平面図である。
【図２９】図２８におけるＪ−Ｊ線断面図である。
【図３０】実施の形態６におけるモータ軸への取り付け前の状態を示す図２９におけるＫ−Ｋ線断面図である。
【図３１】実施の形態６におけるモータ軸への取り付け状態を示す図２９におけるＫ−Ｋ線断面図である。
【図３２】本発明の実施の形態７におけるファンのワンタッチ着脱装置を示す断面であり、図２におけるＢ−Ｂ線に対応した断面図である。
【図３３】図３３の拡大断面図である。
【図３４】本発明の実施の形態８におけるファンのワンタッチ着脱装置を示す断面であり、図１５に対応する断面図である。
【図３５】本発明の実施の形態９におけるファンのワンタッチ着脱装置を示す断面であり、図３０に対応する断面図である。
【発明を実施するための形態】
【００２０】
（実施の形態１）
図１は本発明の一実施形態のファンのワンタッチ着脱装置１をファン２に取り付けた状態を示し、図２〜図１０は実施の形態１のファンのワンタッチ着脱装置１を示す。
【００２１】
ファン２は、例えば、レンジフードに用いられるものであり、レンジフードのファンモータ３に取り付けられてファン２が回転する。図１に示すように、ファンモータ３はモータ軸４が垂下しており、このモータ軸４がワンタッチ着脱装置１に挿入されることにより、モータ軸４の先端部分の外周面のねじ部４ａとワンタッチ着脱装置１とが結合する。モータ軸４には、回り止め用ピン４ｂが軸方向と直交するように突出しており、ファン２の天板部２ａ側に設けた図示省略の係合凹部に該回り止め用ピン４ｂが嵌り込むことでファン２とこの回り止め用ピン４ｂは係合し、ファンモータ３によって回転する。
【００２２】
ファン２は、円形の天板部２ａと天板部２ａ下方の円形のリング体２ｂとの間に複数のブレード２ｃが円周方向に沿って取り付けられたシロッコファンが用いられている。この実施形態のワンタッチ着脱装置１は、ファン２の天板部２ａの下面に取り付けられることによりファン２をファンモータ３のモータ軸４に着脱するように作用する。
【００２３】
図２はワンタッチ着脱装置１の底面図、図３は側面図、図４は図３におけるＡ矢視図、図５は図６のＣ−Ｃ線断面図、図６は図２のＢ−Ｂ線断面図である。図５及び図６はロック解除状態を示す断面図、図７及び図８はロック状態を示す断面図、図９及び図１０はモータ軸４への係合を説明する断面図である。
【００２４】
図１〜図６に示すように、ワンタッチ着脱装置１は、カバー５と、ベース１０と、操作部材６と、戻しばね８と、弾性体１４と、ロック駒１２、１３及び作用駒１５、１６よりなる係合片４１とを備えている。
【００２５】
カバー５は、収容部５ａと収容部５ａ周囲のフランジ部５ｂとからなる薄板状の皿形状に形成されており、フランジ部５ｂをファン２の天板部２ａに当接させた状態でフランジ部５ｂに形成された複数の取付孔５ｃにねじをねじ込むことによりファン２に固定される。収容部５ａは、上述したベース１０、操作部材６、戻しばね８、弾性体１４と、ロック駒１２、１３及び作用駒１５、１６よりなる係合片４１が収容されるものである。
【００２６】
ベース１０は、カバー５の収容部５ａの底面にリベット等により固定される。ベース１０には、モータ軸４が挿入されるモータ軸挿入孔１０ａが略中央部分に貫通している。図５に示すように、モータ軸挿入孔１０ａはベース１０の円形軸部１０ｂに形成されるものである。ベース１０の円形軸部１０ｂには、操作部材６が変位可能（回転可能）に取り付けられる。
【００２７】
操作部材６はガイド部２２とガイド部２２から外方に突出した操作部２３とを有している。図５に示すように、ガイド部２２はベース１０の円形軸部１０ｂを囲むリング状となっており、円形軸部１０ｂを中心に移動可能にベース１０に取り付けられる。この実施形態において、ガイド部２２は円形軸部１０ｂを中心として正逆方向に回動可能にベース１０に取り付けられるものであり、ガイド部は正逆方向への回動によって移動するようになっている。ガイド部２２（操作部材６）の正方向の回動はロック解除方向に操作部材６が回転する方向であり、この実施形態においては反時計方向への回転となっている。逆方向の回動は、ロック方向にガイド部２２（操作部材６）が回転する方向であり、この実施形態では時計方向への回転となっている。
【００２８】
操作部材６の操作部２３は、正方向への回動を行うために操作される部位であり、ガイド部２２から径方向の外側に突出しており、カバー５の収容部５ａから外部に露出している。この場合、操作部２３には取手部２５が覆うことにより、カバー５からの突出長が長くなっており、これにより操作部２３への操作が容易となっている。操作部２３に対し、カバー５にはツマミ７が形成されており、ツマミ７と操作部２３（取手部２５）とに対して指をかけることにより、操作部２３への回動操作を行うことが容易となっている。
【００２９】
ベース１０の円形軸部１０ｂには、係合片４１としての一対のロック駒１２、１３及び一対の作用駒１５、１６が収容される。一方の作用駒１５は、ロック駒１２に対応するように円形軸部１０ｂに設けられ、他方の作用駒１６はロック駒１３に対応するように円形軸部１０ｂに設けられている。これらの作用駒１５、１６に対し、それぞれのロック駒１２、１３の後端部には太幅の連結部１２ｂ、１３ｂが形成されており、この連結部１２ｂ、１３ｂが作用駒１５、１６に係合状態で挿入されることによりロック駒１２、１３と、これと対応した作用駒１５、１６とが連結されている。
【００３０】
一対の作用駒１５，１６は、モータ軸挿入孔１０ａを挟んだ状態で円形軸部１０ｂの直径方向に沿って収容されている。それぞれのロック駒１２、１３におけるモータ軸挿入孔１０ａ側の先端面には、モータ軸４のねじ部４ａに噛み込んで係合するねじ部１２ａ、１３ａが形成されている。又、作用駒１５，１６は、モータ軸４の方向にのみ直線的に往復移動可能となるようにベース１０の円形軸部１０ｂに取り付けられている。従って、ロック駒１２、１３がモータ軸４側に進出することにより、ねじ部１２ａ、１３ａがモータ軸４のねじ部４ａと係合し、ロック駒１２、１３がモータ軸４から退出することにより、モータ軸４のねじ部４ａとの係合が解除される。
【００３１】
この実施形態では、ロック駒１２，１３及び作用駒１５、１６がベース１０のモータ軸挿入孔１０ａを挟んだ両側に設けられるものである。このようにモータ軸挿入孔１０ａの両側にロック駒１２，１３及び作用駒１５、１６を配置することにより、モータ軸挿入孔１０ａに挿入されたモータ軸４のねじ部４ａに対して両側からロックすることができるため、安定したロック状態とすることができる。
【００３２】
図６に示すように、それぞれの作用駒１５、１６は、下方が開口したコ字形に形成されており、その内部に操作部材６のリング状のガイド部２２が挿入されている。これにより、それぞれの作用駒１５、１６は操作部材６のガイド部２２を挟んだ状態となっている。このようにガイド部２２を挟むことにより、作用駒１５、１６とガイド部２２の挟まれ部分とに係合機構３１、３２が形成されるものである。
【００３３】
係合機構３１、３２は、それぞれの作用駒１５、１６におけるガイド部２２を挟んだ一側（内側）に形成された第１係合凸部３３、３４と、ガイド部２２を挟んだ他側（外側）に形成された第２係合凸部３５、３６とを有している。又、係合機構３１、３２は、第１係合凸部３３、３４と対応するようにガイド部２２の内面に形成された内径変化部３７、３８と、第２係合凸部３５、３６と対応するようにガイド部２２の外面に形成された支持凸部３９、４０とを有している。それぞれの支持凸部３９，４０は、ガイド部２２の外面から径方向に突出しており、その突出端面が平面状に形成されている。又、それぞれの内径変化部３７、３８は、大径凹部３７ａ、３８ａと、大径凹部３７ａ、３８ａの両側から径が徐々に小さくなって連続する曲面部３７ｂ、３８ｂとによって形成されている。
【００３４】
係合機構３１、３２においては、支持凸部３９、４０が作用駒１５、１６の第２係合凸部３５、３６に当接することにより、作用駒１５、１６がモータ軸４と離反する方向に直線的に移動し、これらの作用駒１５、１６の移動によりロック駒１２、１３がモータ軸４と離れる方向に移動する。これにより、図５及び図６に示すように、ロック駒１２、１３のねじ部１２ａ、１３ａがモータ軸４のねじ部４ａとの係合から外れてロック解除状態となる。一方、操作部材６が逆方向（時計方向）に回動すると、支持凸部３９、４０と第２係合凸部３５、３６との当接が解除される。これと同時に、ガイド部２２の内径変化部３７、３８においては、大径凹部３７ａ、３８ａに連続している曲面部３７ｂ、３８ｂが第１係合凸部３３、３４と当接する。曲面部３７ｂ、３８ｂは大径凹部３７ａ、３８ａよりも径が小さくなっているため、曲面部３７ｂ、３８ｂが第１係合凸部３３，３４と当接することにより、作用駒１５、１６が押されてモータ軸４の方向に直線的に移動し、この移動に伴って、ロック駒１２、１３がモータ軸４の方向に直線的に移動する。これにより、図７及び図８に示すように、ロック駒１２、１３のねじ部１２ａ、１３ａがモータ軸４のねじ部４ａに噛み込んで係合する。また、曲面部３７ｂ、３８ｂは径が徐々に小さくなっているため、モータ軸４のねじ部４ａに径の大小があっても、ロック駒１２，１３はねじ部１２ａ、１３ａがモータ軸４のねじ部４ａに密着するまで円滑に動くことが出来る。このような係合により、ワンタッチ着脱装置１がモータ軸４に取り付けられる。
【００３５】
上記構成において、ロック駒１２、１３と作用駒１５、１６とは、テーパ面を介して接触している。すなわち、図６及び図８に示すように、ロック駒１２、１３の外面にテーパ面１２ｃ、１３ｃが形成されると共に、このテーパ面１２ｃ、１３ｃに対応したテーパ面１５ｃ、１６ｃが作用駒１５、１６に形成されている。これらのテーパ面１２ｃ、１３ｃ、１５ｃ、１６ｃは、モータ軸４の挿入方向（下方向）に沿ってモータ軸４からの距離が徐々に大きくなる傾斜面となっている。このような傾斜面とすることにより、ワンタッチ着脱装置１に下方向の力（モータ軸４から外れる方向の力）が作用しても、ロック駒１２，１３がモータ軸４から抜けることが阻止される。これにより、ワンタッチ着脱装置１が抜け方向に動くことがなく、ワンタッチ着脱装置１をモータ軸４に安定して取り付けた状態とするとともに取り付けた状態でのガタツキを抑えることができる。
【００３６】
すなわち、ワンタッチ着脱装置１に下方向の力（モータ軸４から外れる方向の力）が作用した場合、ロック駒１２、１３はそのねじ部１２ａ、１３ａがモータ軸４のねじ部４ａと噛み合って係合しているため、モータ軸４のねじ部４ａから上方向の力（図６及び図８において紙面上方向の力）を受けることになり、その力により上方向に移動しようとするが、作用駒１５、１６と接しているテーパ面は上方向にいくほどに間隔が狭くなるため、ロック駒はモータ軸４の中心に向かって力を受けることになる。したがって、ロック駒１２、１３がモータ軸４から抜けることが阻止される。
【００３７】
また、取り付け状態では、ロック駒１２、１３は作用駒１５、１６に押されてモータ軸４方向に力を受けているが、テーパ面が前述のようにモータ軸４の挿入方向（下方向）に沿ってモータ軸４からの距離が徐々に大きくなる傾斜面となっているため、ロック駒１２、１３が受けているモータ軸４方向の力は下方向の力（図６及び図８において紙面下方向）に変換される。したがって、ロック駒１２、１３のネジ部１２ａ、１３ａはモータ軸４のねじ部４ａを下方向に押し付けるように噛み合って係合することになる。すなわちロック駒１２、１３はモータ軸４より上方向の反力を受け、つまりは、ファン２は上方向に抑え込まれる力を受けることになる。このときファン２とモータ軸４とは、モータ軸４から突出している回り止め用ピンがファン２の天板部２ａ側に設けた係合凹部に嵌り込むことで係合しているため、ファンは上方向（図６及び図８において紙面上方向）への移動を規制されている。よって、モータ軸４からファン２が受ける上向きの反力がファン２を上方向に抑え込むのに有効に作用し、取り付け状態でのファンのガタツキを効果的に抑えることができる。
【００３８】
図６及び図８に示すように、弾性体１４はそれぞれのロック駒１２、１３を上下で挟むようにロック駒１２、１３とベース１０との間に配置されている。すなわち、弾性体１４は、それぞれのロック駒１２，１３を挟むように弾性体１４がベース１０とロック駒１２，１３との間に配置されている。弾性体１４としては、コイルばねが用いられているが、皿ばねを重ねる、あるいは板ばねを挟んで形成することにより弾性体１４としても良い。このように弾性体１４をロック駒１２、１３を上下で挟んだ状態で配置することにより、ロック駒１２、１３を上下方向（モータ軸４の軸方向）に沿って移動可能に弾持した状態となる。これにより、ねじ部１２ａ、１３ａの山谷がモータ軸４のねじ部４ａの山谷と係合するようにロック駒１２、１３が移動でき、モータ軸４のねじ部４ａとの係合を確実且つ簡単に行うことができる。
【００３９】
図９は、ロック駒１２，１３のねじ部１２ａ、１３ａの山谷がモータ軸４のねじ部４ａの山谷と一致していない状態を示し、この状態に対して弾性体１４がロック駒１２，１３を上下方向に弾持しているため、山谷が一致するようにロック駒１２，１３が移動する。これにより、図１０に示すように、ロック駒１２，１３のねじ部１２ａ、１３ａの山谷がモータ軸４のねじ部４ａの山谷と一致し、ねじ部１２ａ、１３ａがモータ軸４のねじ部４ａに噛み込んで係合することができ、この係合により、モータ軸４に対してロック駒１２，１３が結合し、ファンワンタッチ着脱装置１がモータ軸４に装着される。
【００４０】
戻しばね８は、ベース１０に巻回された状態で一端のフック部８ａがベース１０に係止され、他端のフック部８ｂが操作部材６に係止されている。これにより、戻しばね８は操作部材６がロック方向（時計方向）に回動するように付勢している。従って、操作部材６に対するロック解除方向への回動操作が解除されると、操作部材６は戻しばね８の付勢力によりロック方向に自動的に回動する。
【００４１】
次に、この本実施の形態１の動作を図５〜図８により説明する。
【００４２】
図５及び図６は、操作部材６の操作部２３（取手部２５）を正方向（反時計方向）に回動操作した状態を示す。操作部２３の正方向への回動により、操作部材６のガイド部２２における支持凸部３９、４０が作用駒１５、１６の第２係合凸部３５、３６に当接し、作用駒１５、１６をモータ軸４から離反する方向に直線的に移動させる。この状態においては、作用駒１５、１６の第１係合凸部３３、３４はガイド部２２の大径凹部３７ａ、３８ａに隙間を有して臨んでおり、これらの第１係合凸部３３、３４はガイド部２２と当接しない状態となっている。かかる作用駒１５、１６の移動によりロック駒１２、１３も同方向に移動するため、ロック駒１２，１３のねじ部１２ａ、１３ａがベース１０のモータ軸挿入孔１０ａから退避する。
【００４３】
従って、この状態ではモータ軸４をモータ軸挿入孔１０ａに挿入することができる。モータ軸４の挿入の後、操作部材６の操作部２３への操作を解除する。操作部２３への操作が解除されることにより、戻しばね８の付勢力により操作部材６が逆方向（時計方向）に回転する。この回転により、操作部材６のガイド部２２における支持凸部３９、４０は作用駒１５、１６の第２係合凸部３５、３６との当接から外れる。
【００４４】
戻しばね８の付勢力によって操作部材６（ガイド部２２）がさらに逆方向（時計方向）に回動すると、ガイド部２２の内径変化部３７における曲面部３７ｂ、３８ｂが作用駒１５、１６の第１係合凸部３３、３４に当接する。曲面部３７ｂ、３８ｂは、大径凹部３７ａ、３８ａよりも径が小さくなっていることから、第１係合凸部３３、３４に当接することにより作用駒１５、１６を押して作用駒１５、１６をモータ軸４の方向に直線的に移動させる。この移動に伴ってロック駒１２，１３がモータ軸４の方向に直線的に移動するため、図７及び図８に示すように、ロック駒１２，１３のねじ部１２ａ、１３ａがモータ軸４のねじ部４ａに噛み込んで係合する。かかるねじ部１２ａ、１３ａの係合に際しては、弾性体１４がロック駒１２、１３を上下方向から弾持しているため、図９及び図１０で説明したように、ねじ部１２ａ、１３ａの山谷がモータ軸４のねじ部４ａの山谷と一致してこれらが相互に噛み込むことができる。ロック駒１２，１３のねじ部１２ａ、１３ａがモータ軸４のねじ部４ａに係合することにより、ワンタッチ着脱装置１がファン２に装着される。
【００４５】
ファン２への装着状態に対し、操作部材６の操作部２３（取手部２５）を反時計方向に回動操作する。これにより、図５及び図６に示す状態となり、ロック駒１２，１３がモータ軸４から離反するように直線的に移動してねじ部１２ａ、１３ａがモータ軸４のねじ部４ａとの係合から離脱する。これにより、ワンタッチ着脱装置１をファン２から取り外すことができる。
【００４６】
このような実施の形態１によれば、操作部材６を正方向に回動させることにより、作用駒１５，１６がロック駒１２，１３をベース１０のモータ軸挿入溝１０ａから退避させるため、モータ軸４をモータ軸挿入溝１０ａに挿入することができる。その後、操作部材６の操作を解除することにより戻しばね８が操作部材６を元に復帰させるため、作用駒１５，１６がロック駒１２，１３をモータ軸４の方向に進出させ、ロック駒１２，１３のねじ部１２ａ、１３ａとモータ軸４のねじ部４ａとが係合し、モータ軸４ａへの装着を行うことができる。さらに、操作部材６を正方向に回動させることにより、作用駒１５，１６がロック駒１２，１３をモータ軸４から退避させるため、ロック駒１２，１３のねじ部１２ａ、１３ａとモータ軸４のねじ部４ａとの係合が解除し、モータ軸４から取り外すことができる。これによりモータ軸４への着脱をワンタッチで行うことができる。しかも、モータ軸４に対して着脱のための加工を行う必要がないため、左ねじを用いた従前のモータ軸に対しても、そのまま適用することができる。これにより、モータ軸を専用の構造とする必要がなく、汎用性を有したものとすることができる。また、保持状態では、ガイド部２２の内径変化部３７，３８により作用駒１５，１６及びロック駒１２，１３よりなる係合片４１が固定されるので、ばね等の弾性力によって抑え込む旧来の方法と比べて安定して強固にファンを保持することができる。すなわち、旧来の方法はモータ軸に設けられている係止溝に保持部をばね等の弾性力により付勢して抑えつけて保持状態としているため、保持状態の維持はばね等の弾性力により成り立っているが、本発明ではガイド部２２の内径変化部３７、３８により、係合片４１の移動が規制されるため、より強固に保持状態を維持することができる。
【００４７】
上記実施の形態１においては、弾性体１４をそれぞれのロック駒１２，１３の上下に配置しているが、それぞれのロック駒１２，１３に対して一本の弾性体１４を貫通させる構造としても良い。この場合においては、ロック駒１２，１３に弾性体１４と係合する凸部を形成したり、弾性体１４におけるロック駒１２，１３の貫通部分を接着剤によってロック駒１２，１３に係合させても良く、弾性体１４におけるロック駒１２，１３の貫通部分を大径としてロック駒１２，１３に係合させても良い。又、ロック駒１２，１３及び作用駒１５、１６をモータ軸挿入孔１０ａの両側に設けることなく、モータ軸挿入孔１０ａの片側に単一で設けても良く、３箇所以上に設けても良い。
【００４８】
（実施の形態２）
本発明の実施の形態２のファンのワンタッチ着脱装置は、図１１〜１４に示すように、上記実施の形態１の構成に対し、係合片４１を実施の形態１のように作用駒とロック駒の二つの部品から構成せずに一つの部品で一体として構成し、また、モータ軸４の被係合部及び係合片の係合部を実施の形態１ではねじ部としていたのに対して、モータ軸４の一部に直径を小さくしたくびれ部４４を設けることで被係合部４２とし、そのくびれ部４４に係合片４１の係合部４３を入れ込むことでファンを保持する構成としている。それ以外の構成要素は上記実施の形態１のワンタッチ着脱装置と基本的に同様であることから同じ符号を付すことで重複説明は省略する。
【００４９】
図１１は本発明の実施の形態２のファンのワンタッチ着脱装置をモータ軸線を含む平面で切断した断面図（ロック状態）であり、図１２は図１１のＤ−Ｄ線断面図であり、図１３は本発明の実施の形態２のファンのワンタッチ着脱装置をモータ軸線を含む平面で切断した断面図（ロック解除状態）であり、図１４は図１３のＥ−Ｅ線断面図である。
【００５０】
モータ軸４の被係合部４２は図１１及び図１３に示すように、モータ軸の一部において直径が小さくしたくびれ部４４により形成しており、このくびれ部４４に係合片４１の係合部４３が入り込むことで係合される構造となっている。
【００５１】
ベース１０の円形軸部１０ｂには、一対の係合片４１が収容される。一対の係合片４１は、モータ軸挿入孔１０ａを挟んだ状態で円形軸部１０ｂの直径方向に沿って収容されている。それぞれの係合片４１におけるモータ軸挿入孔１０ａ側の先端部には、モータ軸４の被係合部４２であるくびれ部４４に入り込んで係合する係合部４３が形成されている。又、係合片４１は、モータ軸４の方向にのみ直線的に往復移動可能となるようにベース１０の円形軸部１０ｂに取り付けられている。従って、係合片４１がモータ軸４側に進出することにより、係合部４３がモータ軸４のくびれ部４４と係合し、係合片４１がモータ軸４から退出することにより、モータ軸４のくびれ部４４との係合が解除される。
【００５２】
係合片４１におけるモータ軸挿入孔１０ａ側の先端部に形成されている係合部４３は図１４に示すように、モータ軸４のくびれ部４４と接触する先端面がくびれ部４４の形状に合わせて湾曲面となっている。これにより接触面が多くとれるため安定した係合状態とすることができる。
【００５３】
この実施形態では、係合片４１がベース１０のモータ軸挿入孔１０ａを挟んだ両側に設けられるものである。このようにモータ軸挿入孔１０ａの両側に係合片４１を配置することにより、モータ軸挿入孔１０ａに挿入されたモータ軸４の被係合部４２に対して両側からロックすることができるため、安定したロック状態とすることができる。
【００５４】
図１１及び図１３に示すように、それぞれの係合片４１は、その後側（モータ軸から遠い側）が下方を開口したコ字形に形成されており、その内部にリング状となっている操作部材６のガイド部２２が挿入されている。これにより、それぞれの係合片４１は操作部材６のガイド部２２を挟んだ状態となっている。このようにガイド部２２を挟むことにより、係合片４１とガイド部２２の挟まれ部分とに係合機構３１、３２が形成されるものである。
【００５５】
係合機構３１、３２は、それぞれの係合片４１におけるガイド部２２を挟んだ一側（内側）に形成された第１係合凸部３３、３４と、ガイド部２２を挟んだ他側（外側）に形成された第２係合凸部３５、３６とを有している。又、係合機構３１、３２は、第１係合凸部３３、３４と対応するようにガイド部２２の内面に形成された内径変化部３７、３８と、第２係合凸部３５、３６と対応するようにガイド部２２の外面に形成された支持凸部３９、４０とを有している。それぞれの支持凸部３９，４０は、ガイド部２２の外面から径方向に突出しており、その突出端面が平面状に形成されている。又、それぞれの内径変化部３７、３８は、大径凹部３７ａ、３８ａと、大径凹部３７ａ、３８ａの両側から径が徐々に小さくなって連続する曲面部３７ｂ、３８ｂとによって形成されている。
【００５６】
係合機構３１、３２においては、支持凸部３９、４０が係合片４１の第２係合凸部３５、３６に当接することにより、係合片４１がモータ軸４と離反する方向に直線的に移動する。これにより、図１３及び図１４に示すように、係合片４１の係合部４３がモータ軸４の被係合部４２であるくびれ部４４との係合から外れてロック解除状態となる。一方、操作部材６が逆方向（時計方向）に回転すると、支持凸部３９、４０と第２係合凸部３５、３６との当接が解除される。これと同時に、ガイド部２２の内径変化部３７、３８においては、大径凹部３７ａ、３８ａに連続している曲面部３７ｂ、３８ｂが第１係合凸部３３、３４と当接する。曲面部３７ｂ、３８ｂは大径凹部３７ａ、３８ａよりも径が小さくなっているため、曲面部３７ｂ、３８ｂが第１係合凸部３３，３４と当接することにより、係合片４１が押されてモータ軸４の方向に直線的に移動する。これにより、図１１及び図１２に示すように、係合片４１の係合部４３がモータ軸４の被係合部４２であるくびれ部４４に入り込んで係合する。このような係合により、ワンタッチ着脱装置がモータ軸４に取り付けられる。したがって、保持状態では、ガイド部２２の内径変化部３７，３８により係合片４１が固定されるので、ばね等の弾性力によって抑え込む旧来の方法と比べて安定して強固にファンを保持することができる。すなわち、旧来の方法はモータ軸に設けられている係止溝に保持部をばね等の弾性力により付勢して抑えつけて保持状態としているため、保持状態の維持はばね等の弾性力により成り立っているが、本発明ではガイド部２２の内径変化部３７，３８により、係合片４１の移動が規制されるため、より強固に保持状態を維持することができる。
【００５７】
（実施の形態３）
図１５〜図１９は本発明の実施の形態３におけるファンのワンタッチ着脱装置を示し、図２におけるＢ−Ｂ線に対応した断面図である。この実施の形態のワンタッチ着脱装置は、実施の形態１のワンタッチ着脱装置１と同様な構造となっているのに加え、ベース１０にホールド機構５１を設けた構造となっている。
【００５８】
すなわち、この実施の形態のワンタッチ着脱装置は、実施の形態１と同様に、ファン２に固定されるカバー５と、カバー５の収容部５ａの底面に固定されるベース１０と、ベース１０に変位可能に取り付けられた操作部材６とを有している。ベース１０はモータ軸４が挿入されるモータ軸挿入孔１０ａが略中央部分に貫通しており、操作部材６はモータ軸挿入孔１０ａが形成された円形軸部１０ｂに取り付けられている。
【００５９】
操作部材６はベース１０の円形軸部１０ｂに対して正逆方向に回動可能に取り付けられたリング状のガイド部２２と、図５に示すと同様にガイド部２２から外方に突出した操作部２３とを有している。
【００６０】
図５に示すと同様にベース１０の円形軸部１０ｂには、係合片４１としての一対のロック駒１２、１３及び一対のロック駒１２、１３のそれぞれに連結された一対の作用駒１５、１６がモータ軸挿入孔１０ａを挟んだ両側に設けられている。ロック駒１２、１３の先端面にはモータ軸４のねじ部４ａに噛み込んで係合するねじ部１２ａ、１３ａが形成されている。それぞれの作用駒１５、１６におけるガイド部２２を挟んだ内側には第１係合凸部３３、３４が形成され、ガイド部２２を挟んだ外側には第２係合凸部３５、３６が形成されている。そして、第１係合凸部３３、３４と対応する内径変化部３７、３８がガイド部２２の内側に形成され、第２係合凸部３５、３６に対応する支持凸部３８、３９がガイド部２２の外側に形成されている。実施の形態１と同様に、これらの第１係合凸部３３、３４、第２係合凸部３５、３６、内径変化部３７、３８及び支持凸部３９、４０によって、ロック駒１２、１３がモータ軸４のねじ部４ａと係合したり、係合を解除する係合機構３１、３２が形成されている。また、ロック駒１２、１３と作用駒１５、１６とは、モータ軸４の挿入方向に沿ってモータ軸４からの距離が徐々に大きくなるテーパ面１２ｃ、１５ｃ、１３ｃ、１６ｃを介して接触している。さらに、ロック駒１２、１３とベース１０との間には、ロック駒１２、１３を上下で挟む弾性体１４が設けられている。ベース１０には回転によって変位した操作部材６を元に復帰させる戻しばね８が設けられている。以上の構造は実施の形態１と同様である。
【００６１】
この実施の形態におけるホールド機構５１は、ホールドキャップ５２と、ホールドキャップ５２を押圧する押圧ばね５３とによって形成されている。ホールドキャップ５２は上下方向移動可能にベース１０のモータ軸挿入孔１０ａ内に挿入されており、これによりホールドキャップ５２はモータ軸４が挿入される軸方向と一致するように設けられている。ホールドキャップ５２は上面部５２ａが閉じ、下面部が開放された筒状に形成されている。又、ホールドキャップ５２はモータ軸４のねじ部４ａの径よりも幾分大きな径を有した筒状となっている。これによりホールドキャップ５２がモータ軸挿入孔１０ａ内に位置しているときは、ロック駒１２、１３はモータ軸挿入孔１０ａ内への進出が阻止された退避状態となっている。ホールドキャップ５２の下端部には、ベース１０に当接するフランジ状のストッパ部５２ｂが形成されており、ストッパ部５２ｂがベース１０に当接することによりモータ軸挿入孔１０ａ内でのホールドキャップ５２の上方への移動が停止する。
【００６２】
押圧ばね５３はホールドキャップ５２の上面部５２ａとカバー５との間に配置されており、ホールドキャップ５２が上方へ移動するように付勢している。これによりホールドキャップ５２はベース１０のモータ軸挿入孔１０ａへの挿入状態となるように付勢されている。
【００６３】
この実施の形態のワンタッチ着脱装置においては、操作部材６を反時計方向に回動操作して作用駒１５、１６を介してロック駒１２、１３をベース１０のモータ軸挿入孔１０ａから退避させる。これにより押圧ばね５３に付勢されているホールドキャップ５２が下方からモータ軸挿入孔１０ａ内に進入する。この進入によりロック駒１２、１３のねじ部１２ａ、１３ａがホールドキャップ５２に押されるため、図１５に示すようにロック駒１２、１３はモータ軸挿入孔１０ａ内から退避した状態を維持する。従って、操作部材６への操作を解除してもロック駒１２、１３はモータ挿入孔１０ａ内に進出することがない。この操作部材６への操作を解除した状態においては、戻しばね８によって操作部材６が逆方向（時計方向）に回動するように付勢された状態となっている。
【００６４】
この状態でワンタッチ着脱装置をモータ軸４に接近させ、モータ軸４のねじ部４ａをモータ軸挿入孔１０ａ内に挿入する。図１６はこの状態を示し、モータ軸４のねじ部４ａの先端部がホールドキャップ５２の上面部５２ａを押しながらモータ軸挿入孔１０ａ内に進入する。従って、ホールドキャップ５２は押圧ばね５３を押しながらモータ軸挿入孔１０ａ内を下方に移動する。この状態ではホールドキャップ５２によってロック駒１２、１３のモータ軸挿入孔１０ａからの退避状態が維持されているため、ロック駒１２、１３はモータ軸４のねじ部４ａに干渉したり噛み込むことがなく、モータ軸挿入孔１０ａへのモータ軸４の挿入を操作部材６を操作することなく円滑に行うことができる。
【００６５】
図１７はモータ軸４のねじ部４ａをベース１０のモータ軸挿入孔１０ａ内に完全に挿入した状態を示し、ホールドキャップ５２が下方に移動してロック駒１２、１３の間から抜け出た状態となる。このとき戻しばね８によって操作部材６が戻り方向に回動するように付勢されているため、ロック駒１２、１３は係合機構３１、３２を介してモータ軸挿入孔４ａ内に進出するようになっている。又、このときにおいては、弾性体１４がロック駒１２、１３を上下方向から弾持しているため、ロック駒１２、１３のねじ部１２ａ、１３ａの山谷がモータ軸４のねじ部４ａの山谷と円滑に一致する。以上により、ロック駒１２、１３がモータ軸４の方向に瞬間的に移動し、図１８に示すようにロック駒１２、１３のねじ部１２ａ、１３ａがモータ軸４のねじ部４ａに噛み込んで係合するため、ワンタッチ着脱装置をモータ軸４に装着することができる。かかるロック駒１２、１３の進出によるモータ軸４のねじ部４ａへの噛み込みの際に衝突音が発生するため、ワンタッチ着脱装置がモータ軸４に装着されたことを音で判断することができる。
【００６６】
モータ軸４からのワンタッチ着脱装置の取り外しは、操作部材６を反時計方向に回動操作する。これによりロック駒１２、１３がモータ軸４の軸方向と直交した直線方向に離反移動してねじ部１２ａ、１３ａがモータ軸４のねじ部４ａと離脱するため、ワンタッチ着脱装置の取り外しを行うことができる。かかるワンタッチ着脱装置の取り外しにおいては、ホールドキャップ５２が押圧ばね５３の付勢力によりロック駒１２、１３の間に進入して図１５の状態に戻る。
【００６７】
図１９はモータ軸４のベース１０のモータ軸挿入孔１０ａへの挿入状態で挿入を停止した場合を示す。この場合には、ホールドキャップ５２がロック駒１２、１３の間で停止するため、ロック駒１２、１３がモータ軸挿入孔１０ａ方向に進出することがなく、ねじ部１２ａ、１３ａがモータ軸４のねじ部４ａと係合しない。従って、ワンタッチ着脱装置がモータ軸４に不完全な状態で取り付けられることがなく、不完全取り付けに起因してワンタッチ着脱装置が落下する不都合を防止することができる。
【００６８】
（実施の形態４）
図２０〜図２３は、本発明の実施の形態４におけるファンのワンタッチ着脱装置を示し、図２０は平面図、図２１は図２０のＦ−Ｆ線断面図、図２２及び図２３は作動を示す図２１のＧ−Ｇ線断面図である。
【００６９】
この実施の形態のファンのワンタッチ着脱装置は、実施の形態１における操作部材６及び戻しばね８を変更するものであり、その他の構成は実施の形態１のワンタッチ着脱装置と同様となっている。又、この実施の形態においては、実施の形態３におけるホールド機構５１が設けられている。ホールド機構５１は図２１に示すように上下動することによりベース１０のモータ軸挿入孔１０ａ内に対して進入移動するホールドキャップ５２と、ホールドキャップ５２がモータ軸挿入孔１０ａ内に進入するように付勢する押圧ばね５３とによって形成されている。
【００７０】
実施の形態１及び３と同様に、ベース１０には係合片４１としての一対のロック駒１２、１３及びそれぞれのロック駒１２、１３に連結された一対の作用駒１５、１６がモータ軸挿入孔１０ａを挟んだ両側に設けられている。ロック駒１２、１３の先端面には、モータ軸４のねじ部４ａに噛み込んで係合するねじ部１２ａ、１３ａが形成されている。図２１に示すように、ロック駒１２、１３と作用駒１５、１６とは、モータ軸４の挿入方向に沿ってモータ軸４からの距離が徐々に大きくなるテーパ面１２ｃ、１５ｃ、１３ｃ、１６ｃを介して接触している。さらに、ロック駒１２、１３とベース１０との間にはロック駒１２、１３を上下で挟むことにより、ロック駒１２、１３を弾持する弾性体１４が設けられている。
【００７１】
図２２及び図２３に示すように、操作部材６はガイド部２２及び操作部２３を有している。この実施の形態の操作部材６は、ベース１０に対して直線的に移動するものであり、操作部２３がカバー５の収容部５ａから突出し、この操作部２３を押圧することにより操作部２３がカバー５内に押し込まれて直線的に移動する。
【００７２】
ガイド部２２は平面から見て略半円形のアーム状に形成されており、その中央部分に操作部２３が設けられている。これによりガイド部２２は操作部２３から左右に分岐した状態となっている。操作部２３はロック駒１２、１３及び作用駒１５、１６を結んだ配置方向と直交する方向に設けられており、操作部２３を押圧することにより略半円アーム状のガイド部２２はロック駒１２、１３及び作用駒１５、１６を結ぶ直線と直交する方向に直線的に移動して変位する。
【００７３】
ガイド部２２における分岐したそれぞれの先端部には、ガイド部２２が直線的に移動する方向に沿って延びるガイド面５５が形成されている。又、ベース１０におけるガイド面５５との対応部位には、ガイド面５５が摺動可能な受け面５６が直線的に形成されている。これらのガイド面５５及び受け面５６により、操作部材６は上述した方向に安定的に直線的に移動することができる。さらに、ベース１０には、受け面５６と直交する方向に延びるストッパ面５８が形成されており、このストッパ面５８にガイド部２２が当接（衝突）することによりガイド部２２の直線的な移動が規制される。
【００７４】
それぞれの作用駒１５、１６は、ガイド部２２における左右に分岐した部分を挟んだ状態となっており、作用駒１５、１６とガイド部２２の挟まれ部分とに係合機構３１、３２が形成されている。係合機構３１、３２は実施の形態１と同様に、それぞれの作用駒１５、１６におけるガイド部２２を挟んだ内側に形成された第１係合凸部３３、３４と、ガイド部２２を挟んだ外側に形成された第２係合凸部３５、３６とを有している。又、係合機構３１、３２は、第１係合凸部３３、３４と対応するようにガイド部２２の内面に形成された内径変化部３７、３８と、第２係合凸部３５、３６と対応するようにガイド部２２の外面に形成された支持凸部３９、４０とを有している。それぞれの支持凸部３９，４０は、斜面状となってガイド部２２の外面から突出している。又、それぞれの内径変化部３７、３８は、大径凹部３７ａ、３８ａと、径が徐々に小さくなって大径凹部３７ａ、３８ａと連続する曲面部３７ｂ、３８ｂとによって形成されている。
【００７５】
戻しばね８はコイルばねからなり、ベース１０と操作部材６との間に配置されている。戻しばね８は一端が操作部材６の操作部２３の裏面に当接し、他端がベース１０に形成されたばね孔５７の底面に当接しており、操作部材６がカバー５から突出するように付勢している。
【００７６】
図２２はロック駒１２、１３のねじ部１２ａ，１３ａがベース１０のモータ軸挿入孔１０ａから退出することによりねじ部１２ａ、１３ａがモータ軸４のねじ部４ａと係合していない状態を示し、ホールドキャップ５２がモータ軸挿入孔１０ａ内に位置している。図２３はロック駒１２、１３のねじ部１２ａ、１３ａがモータ軸挿入孔１０ａに進出してモータ軸４のねじ部４ａと係合し、これによりワンタッチ着脱装置がモータ軸４に取り付けられた状態を示す。
【００７７】
この実施の形態のワンタッチ着脱装置においては、図２２に示すように、操作部２３をカバー５内に押し込む。これにより操作部材６の全体が押し込み方向に沿って直線的に移動し、ガイド部２２が同方向に直線的に移動する。ガイド部２２が直線的に移動することにより、ガイド部２２の支持凸部３９、４０が作用駒１５、１６の第２係合凸部３５、３６に当接し、作用駒１５、１６をモータ軸挿入孔１０ａから離反する方向に直線的に移動させる。このとき作用駒１５、１６の第１係合凸部３３、３４はガイド部２２の大径凹部３７ａ、３８ａに隙間を有して臨んでおり、第１係合凸部３３、３４はガイド部２２と当接しない状態となっている。作用駒１５、１６の移動によりロック駒１２、１３も同方向に移動するため、ロック駒１２、１３のねじ部１２ａ、１３ａがベース１０のモータ軸挿入孔１０ａから退避する。これにより実施の形態３と同様に、ホールドキャップ５２がモータ挿入孔１０ａ内に進入してロック駒１２、１３の退避状態を維持する。又、このときにおいては操作部材６の押し込みにより戻しばね８が短縮されて反対方向への付勢力が蓄えられる。
【００７８】
このような図２２の状態では、モータ軸４をモータ軸挿入孔１０ａに挿入することができる。モータ軸４の挿入によってホールドキャップ５２がモータ軸４に押されてモータ挿入孔１０ａ内を下方に移動するため、ホールドキャップ５２がロック駒１２、１３の間から抜け出る。このとき戻しばね８は操作部材６が戻り方向に直線的に移動するように付勢しているため、ロック駒１２、１３は係合機構３１、３２を介してモータ軸挿入孔４ａ内に進出する。すなわち操作部材６の直線的な戻り移動により、操作部材６のガイド部２２における支持凸部３９、４０は作用駒１５、１６の第２係合凸部３５、３６との当接から外れる。そして図２３に示すように、ガイド部２２の内径変化部３７、３８における曲面部３７ｂ、３８ｂが作用駒１５、１６の第１係合凸部３３、３４に当接するため、作用駒１５、１６がモータ軸４の方向に直線的に移動し、この移動に伴ってロック駒１２，１３がモータ軸４の方向に直線的に移動する。これによりロック駒１２，１３のねじ部１２ａ、１３ａがモータ軸４のねじ部４ａに噛み込んで係合する。このとき、弾性体１４がロック駒１２、１３を上下方向から弾持しているため、ねじ部１２ａ、１３ａの山谷がモータ軸４のねじ部４ａの山谷と一致してこれらが相互に噛み込むことができる。かかる噛み込み動作においては、衝突音が発生するため、モータ軸４への取り付けを音で判断することができる。
【００７９】
以上のようにロック駒１２、１３のねじ部１２ａ、１３ａがモータ軸４のねじ部４ａに噛み込んで係合するため、操作部材６を操作することなくワンタッチ着脱装置をモータ軸４に取り付けることができる。又、このような実施の形態によれば、操作部材６への直線的な押し込み操作によりモータ軸４への着脱を行うことができるため、操作部材６への回動操作に比べて操作性が格段に向上する。
【００８０】
（実施の形態５）
図２４〜図２７は本発明の実施の形態５におけるファンのワンタッチ着脱装置を示し、図２４は平面図、図２５は図２４におけるＨ−Ｈ線断面図、図２６及び図２７は作動を示す図２５のＩ−Ｉ線断面図である。
【００８１】
この実施形態においては、実施の形態１における操作部材６及び戻しばね８と、係合片４１とを変更するものであり、その他の構成は実施の形態１のワンタッチ着脱装置と同様となっている。又、この実施の形態において、実施の形態３におけるホールド機構５１が設けられている。ホールド機構５１は図２５に示すようにベース１０のモータ挿入孔１０ａ内に対して進入移動するホールドキャップ５２と、ホールドキャップ５２がモータ挿入孔１０ａ内に進入するように付勢する押圧ばね５３とによって形成されている。
【００８２】
図２５〜図２７に示すように、この実施の形態における係合片４１はベース１０のモータ挿入孔１０ａを挟んだ両側における片側にだけ設けられるものである。すなわち、係合片４１はモータ挿入孔１０ａの片側（左側）に設けられた一のロック駒１２と、このロック駒１２に連結された一の作用駒１５とによって形成されている。ロック駒１２の先端面には、モータ軸４のねじ部４ａに噛み込んで係合するねじ部１２ａが形成されている。図２５に示すように、ロック駒１２と作用駒１５とは、モータ軸４の挿入方向に沿ってモータ軸４からの距離が徐々に大きくなるテーパ面１２ｃ、１５ｃを介して接触している。さらに、ロック駒１２とベース１０との間には、ロック駒１２を上下で挟むことにより、ロック駒１２を弾持する弾性体１４が設けられている。
【００８３】
図２６及び図２７に示すように、操作部材６は平面から見てＣ字形状に形成されたガイド部２２と、ガイド部２２に一体に形成された操作部２３とを有している。ガイド部２２における一端側（図２６，図２７における右端側）には、円形の支点部６１が形成されており、この支点部６１にベース１０に設けられた軸ピン６２が挿入されている。これによりガイド部２２は支点部６１を中心に回転可能となっている。操作部２３はガイド部２２の中間部分に設けられてカバー５の収容部５ａから外側に突出している。この操作部２３を押し込むように直線的に押圧することによりガイド部２２が軸ピン６２を中心に回転する。
【００８４】
作用駒１５はガイド部２２の他端側（図２６、図２７における左端側）の部分を挟んだ状態となっており、作用駒１５とこの他端側のガイド部２２の挟まれ部分とに係合機構３１が形成されている。係合機構３１は係止片４１に対応して設けられており、このためベース１０のモータ挿入孔１０ａを挟んだ両側における片側にだけ設けられている。この係合機構３１は作用駒１５におけるガイド部２２を挟んだ内側に形成された第１係合凸部３３と、ガイド部２２を挟んだ外側に形成された第２係合凸部３５と、第１係合凸部３３と対応するようにガイド部２２の内面に形成された内径変化部３７と、第２係合凸部３５と対応するようにガイド部２２の外面に形成された支持凸部３９とを有している。支持凸部３９は平面状に形成されている。又、内径変化部３７は大径凹部３７ａと、径が徐々に小さくなって大径凹部３７ａと連続する曲面部３７ｂとによって形成されている。
【００８５】
戻しばね８はコイルばねからなり、ベース１０と操作部材６との間に配置されている。戻しばね８は一端が操作部材６の操作部２３の裏側部分に当接し、他端がベース１０に形成されたばね孔５７を底面に当接しており、操作部材６がカバー５から突出する方向に回転するように付勢している。
【００８６】
図２６はロック駒１２のねじ部１２ａがベース１０のモータ挿入孔１０ａから退出することにより、ねじ部１２ａがモータ軸４のねじ部４ａと係合していない状態を示す。このときにはホールドキャップ５２がベース１０のモータ挿入孔１０ａ内に進入する。図２７はロック駒１２のねじ部１２ａがベース１０のモータ軸挿入孔１０ａ内に進出してモータ軸４のねじ部４ａと係合した状態を示す。この状態では、ワンタッチ着脱装置がモータ軸４に取り付けられた状態となる。
【００８７】
この実施の形態のワンタッチ着脱装置においては、図２６に示すように操作部２３をカバー５内に直線的に押し込む。この押し込みにより操作部材６の全体が軸ピン６２を中心に反時計方向に回動し、ガイド部２２が同方向に回動する。ガイド部２２の回動によりガイド部２２の支持凸部３９が作用駒１５の第２係合凸部３５に当接して作用駒１５をモータ軸挿入孔１０ａから離反する方向に直線的に移動させる。このとき作用駒１５の第１係合凸部３３はガイド部２２の大径凹部３７ａに隙間を有して臨んでおり、第１係合凸部３３はガイド部２２と当接しない状態となっている。作用駒１５の移動によりロック駒１２も同方向に移動するため、ロック駒１２のねじ部１２ａがベース１０のモータ軸挿入孔１０ａから退避する。これによりホールドキャップ５２がモータ挿入孔１０ａ内に進入してロック駒１２の退避状態を維持する。又、このときにおいては操作部材６の押し込みにより戻しばね８が短縮されて反対方向への付勢力が蓄えられる。
【００８８】
このような図２６の状態においては、モータ軸４をモータ軸挿入孔１０ａに挿入することができる。モータ軸４の挿入によってホールドキャップ５２がモータ軸４に押されてモータ挿入孔１０ａ内を下方に移動するため、ホールドキャップ５２がモータ軸挿入孔１０ａから抜け出る。このとき戻しばね８は操作部材６が逆方向に回動するように付勢しているため、ロック駒１２は係合機構３１を介してモータ軸挿入孔４ａ内に進出する。すなわち操作部材６の回動により、操作部材６のガイド部２２における支持凸部３９は作用駒１５の第２係合凸部３５との当接から外れる。そして図２７に示すように、ガイド部２２の内径変化部３７における曲面部３７ｂが作用駒１５の第１係合凸部３３に当接するため、作用駒１５がモータ軸４の方向に直線的に移動し、この移動に伴ってロック駒１２がモータ軸４の方向に直線的に移動する。これによりロック駒１２のねじ部１２ａがモータ軸４のねじ部４ａに噛み込んで係合する。このとき、弾性体１４がロック駒１２を上下方向から弾持しているため、ねじ部１２ａの山谷がモータ軸４のねじ部４ａの山谷と一致してこれらが相互に噛み込むことができる。
【００８９】
以上のようにロック駒１２のねじ部１２ａがモータ軸４のねじ部４ａに噛み込んで係合するため、操作部材６を操作することなくワンタッチ着脱装置をモータ軸４に取り付けることができる。かかるロック駒１２の進出によるモータ軸４のねじ部４ａへの噛み込みの際に衝突音が発生するため、ワンタッチ着脱装置がモータ軸４に装着されたことを音で判断することができる。このような実施形態では、モータ軸４のねじ部４ａに噛み込むためのロック駒１２を有した係合片４１及びロック駒１２の進退を行う係合機構３１をベース１０のモータ軸挿入孔１０ａの片側にだけ設けているため、部品点数が少なくなり、簡単な構造とすることができ、メンテナンスが容易となる。又、操作部材６の回動を操作部２３への直線的な押し込み操作によって行うため、操作部２３への回動操作に比べて操作性が格段に向上する。
【００９０】
（実施の形態６）
図２８〜図３１は本発明の実施の形態６におけるファンのワンタッチ着脱装置を示し、図２８は平面図、図２９は図２８におけるＪ−Ｊ線断面図、図３０及び図３１は作動を示す図２９のＫ−Ｋ線断面図である。
【００９１】
この実施形態においては、実施の形態１における操作部材６及び戻しばね８と、係合片４１とを変更するものであり、その他の構成は実施の形態１のワンタッチ着脱装置と同様となっている。又、この実施の形態において、実施の形態３におけるホールド機構５１が設けられている。ホールド機構５１は図２９に示すようにベース１０のモータ挿入孔１０ａ内に対して進入移動するホールドキャップ５２と、ホールドキャップ５２がモータ挿入孔１０ａ内に進入するように付勢する押圧ばね５３とによって形成されている。
【００９２】
図２９〜図３１に示すように、この実施の形態における係合片４１はベース１０のモータ挿入孔１０ａを挟んだ両側における片側にだけ設けられるものである。すなわち、係合片４１はモータ挿入孔１０ａの片側（左側）に設けられた一のロック駒１２と、このロック駒１２に連結された一の作用駒１５とによって形成されている。ロック駒１２の先端面には、モータ軸４のねじ部４ａに噛み込んで係合するねじ部１２ａが形成されている。図２９に示すように、ロック駒１２と作用駒１５とは、モータ軸４の挿入方向に沿ってモータ軸４からの距離が徐々に大きくなるテーパ面１２ｃ、１５ｃを介して接触している。さらに、ロック駒１２とベース１０との間には、ロック駒１２を上下で挟むことにより、ロック駒１２を弾持する弾性体１４が設けられている。
【００９３】
図３０及び図３１に示すように、操作部材６は平面から見てコ字形に形成されたガイド部２２と、ガイド部２２に一体に形成された操作部２３とを有している。ガイド部２２はベース１０のモータ軸挿入孔１０ａを挟むように設けられている。モータ軸挿入孔１０ａを挟んだ一側（左側）は、後述する係合機構形成部位６４となっており、他側（右側）はガイドアーム部６３となっている。操作部２３はガイド部２２の中間部分に設けられてカバー５の収容部５ａから外側に突出している。この操作部２３を押し込むことにより操作部材６の全体がベース１０に対して直線的に移動して変位する。この直線的な変位はロック駒１２と作用駒１５とを結ぶ直線と直交する方向となっている。
【００９４】
操作部材６のガイドアーム部６３は操作部材６の移動方向に沿って直線的に延びている。これに対し、ベース１０には、直線的なガイド溝６５が形成されており、このガイド溝６５にガイドアーム部６３が挿入されることによりガイドアーム部６３がベース１０の内部に配置されている。操作部材６の移動に際しては、ガイドアーム部６３がガイド溝６５内を摺動するため、この摺動によって操作部材６が安定して直線移動することができる。
【００９５】
ガイド部２２における係合構形成部位６４の先端部には、ガイド部２２が直線的に移動する方向に沿って延びるガイド面５５が形成されている。又、ベース１０におけるガイド面５５との対応部位には、ガイド面５５が摺動可能な受け面５６が直線的に形成されている。この実施の形態においては、上述したガイドアーム部６３に加えてガイド面５５及び受け面５６が形成されているため、操作部材６が安定して直線移動することができる。さらに、ベース１０には、受け面５６と直交する方向に延びるストッパ面５８が形成されており、このストッパ面５８にガイド部２２が当接することによりガイド部２２の直線移動が停止する。
【００９６】
作用駒１５はガイド部２２における係合機構形成部位６４（図３０、図３１における左側）の部分を挟んだ状態となっており、作用駒１５と係合構形成部位６４とに係合機構３１が形成されている。係合機構３１は係止片４１に対応して設けられており、このためベース１０のモータ挿入孔１０ａを挟んだ両側における片側にだけ設けられている。この係合機構３１は作用駒１５におけるガイド部２２の係合機構形成部位６４を挟んだ内側に形成された第１係合凸部３３と、係合機構形成部位６４を挟んだ外側に形成された第２係合凸部３５と、第１係合凸部３３と対応するように係合機構形成部位６４の内面に形成された内径変化部３７と、第２係合凸部３５と対応するように係合機構形成部位６４の外面に形成された支持凸部３９とを有している。支持凸部３９は平面状に形成されている。又、内径変化部３７は大径凹部３７ａと、径が徐々に小さくなって大径凹部３７ａと連続する曲面部３７ｂとによって形成されている。
【００９７】
戻しばね８はコイルばねからなり、ベース１０と操作部材６との間に配置されている。戻しばね８は一端が操作部材６の操作部２３の裏側部分に当接し、他端がベース１０に形成されたばね孔５７を底面に当接しており、操作部材６がカバー５から突出するように付勢している。
【００９８】
図３０はロック駒１２のねじ部１２ａがベース１０のモータ挿入孔１０ａから退出することにより、ねじ部１２ａがモータ軸４のねじ部４ａと係合していない状態を示す。このときにはホールドキャップ５２がベース１０のモータ挿入孔１０ａ内に進入する。図３１はロック駒１２のねじ部１２ａがベース１０のモータ軸挿入孔１０ａ内に進出してモータ軸４のねじ部４ａと係合した状態を示す。この状態では、ワンタッチ着脱装置がモータ軸４に取り付けられた状態となる。
【００９９】
この実施の形態のワンタッチ着脱装置においては、図３０に示すように操作部２３をカバー５内に直線的に押し込む。この押し込みにより操作部材６の全体が直線的に移動する。ガイド部２２の直線移動によりガイド部２２の支持凸部３９が作用駒１５の第２係合凸部３５に当接して作用駒１５をモータ軸挿入孔１０ａから離反する方向に直線的に移動させる。このとき作用駒１５の第１係合凸部３３はガイド部２２の大径凹部３７ａに隙間を有して臨んでおり、第１係合凸部３３はガイド部２２と当接しない状態となっている。作用駒１５の移動によりロック駒１２も同方向に移動するため、ロック駒１２のねじ部１２ａがベース１０のモータ軸挿入孔１０ａから退避する。これによりホールドキャップ５２がモータ挿入孔１０ａ内に進入してロック駒１２の退避状態を維持する。従って、不用意にロック駒１２がモータ軸４のねじ部４ａに干渉したり噛み込むことがなく、これらを防止するために操作部材６への操作を継続する必要がない。又、このときにおいては操作部材６の押し込みにより戻しばね８が短縮されて反対方向への付勢力が蓄えられる。
【０１００】
図３０の状態においては、モータ軸４をモータ軸挿入孔１０ａに挿入することができる。モータ軸４の挿入によってホールドキャップ５２がモータ軸４に押されてモータ挿入孔１０ａ内を下方に移動するため、ホールドキャップ５２がモータ軸挿入孔１０ａから抜け出る。このとき戻しばね８は操作部材６が逆方向（復帰方向）に移動するように付勢しているため、ロック駒１２は係合機構３１を介してモータ軸挿入孔４ａ内に進出する。すなわち操作部材６の復帰移動により、操作部材６のガイド部２２における支持凸部３９は作用駒１５の第２係合凸部３５との当接から外れる。そして図３１に示すように、ガイド部２２の内径変化部３７における曲面部３７ｂが作用駒１５の第１係合凸部３３に当接するため、作用駒１５がモータ軸４の方向に直線的に移動し、この移動に伴ってロック駒１２がモータ軸４の方向に直線的に移動する。これによりロック駒１２のねじ部１２ａがモータ軸４のねじ部４ａに噛み込んで係合する。このとき、弾性体１４がロック駒１２を上下方向から弾持しているため、ねじ部１２ａの山谷がモータ軸４のねじ部４ａの山谷と一致してこれらが相互に噛み込むことができる。
【０１０１】
以上のようにロック駒１２のねじ部１２ａがモータ軸４のねじ部４ａに噛み込んで係合するため、ワンタッチ着脱装置をモータ軸４に取り付けることができる。かかるロック駒１２の進出によるモータ軸４のねじ部４ａへの噛み込みの際に衝突音が発生するため、ワンタッチ着脱装置がモータ軸４に装着されたことを音で判断することができる。
【０１０２】
このような実施の形態によれば、操作部材６への直線的な押し込み操作によりモータ軸４への着脱を行うことができるため、操作部材６への回動操作に比べて操作性が格段に向上する。又、モータ軸４のねじ部４ａに噛み込むためのロック駒１２を有した係合片４１及びロック駒１２の進退を行う係合機構３１をベース１０のモータ軸挿入孔１０ａの片側にだけ設けているため、部品点数が少なくなり、簡単な構造とすることができ、メンテナンスが容易となる。
【０１０３】
（実施の形態７）
図３２及び図３３は、本発明の実施の形態７におけるファンのワンタッチ着脱装置を示し、図３２はモータ軸の挿入初期の断面図、図３３はモータ軸の挿入終了状態の断面図である。
【０１０４】
この実施の形態のワンタッチ着脱装置は図１５〜図１９に示す実施の形態３の構造と同様であり、実施の形態３の構造にさらに音発生部材６７を加えた構造となっている。従った、基本構造は実施の形態３と同様であるため、実施の形態３の部材と同一の符号を付して対応させることにより各部材の説明を省略する。
【０１０５】
音発生部材６７はホールド機構５１のホールドキャップ５２に対応して設けられるものであり、音発生部材６７を配置するための凹み部６８がベース１０の底部に形成されている。凹み部６８はホールド機構５１のホールドキャップ５２が挿入される挿入凹部７０よりも大きな径を有し、挿入凹部７０の周囲に位置するようにベース１０の底部に形成されている。音発生部材６７はこの凹み部６８とカバー５の底部６９との間に配置されている。
【０１０６】
音発生部材６７はホールドキャップ５２の下端部に形成されているフランジ状のストッパ部５２ｂが当接するように凹み部６８内に配置される。音発生部材６７はホールドキャップ５２のストッパ部５２ｂが当接することにより、自らが変形して音を発生する材料が用いられる。この実施形態においては、ホールドキャップ５２のストッパ部５２ｂが当接することにより上下反転する皿ばねが用いられている。
【０１０７】
この実施形態において皿ばねからなる音発生部材６７は、図３２に示すようにモータ軸４のモータ軸挿入孔１０ａへの挿入初期においては、外周部がカバー５の底面６９に接触した状態で上方に向かって湾曲した凸状となっている。これに対しモータ軸４のモータ軸挿入孔１０ａへの挿入終了時点では、図３３に示すように、モータ軸４によってホールドキャップ５２が下方に押され、これによりホールドキャップ５２の下端部のストッパ部５２ｂが音発生部材６７に当接する。これにより音発生部材６７は外周部がベース１０における凹み部６８に当接し、下方に向かって湾曲した凹み状となるように反転する。この反転の際には音が発生する。この状態においてはホールドキャップ５２がロック駒１２、１３の間から退出して、ねじ部１２ａ、１３ａがモータ軸４のねじ部４ａに噛み込んでワンタッチ着脱装置のモータ軸４への取り付け状態となる。従ってモータ軸４への取り付け時に音が発生するため、モータ軸４への装着を音で判断することができる。又、ワンタッチ着脱装置１をモータ軸４から取り外すため、モータ軸４がモータ軸挿入孔１０ａから抜け出る際には、ホールドキャップ５２が押圧ばね５３の付勢力によって上方に移動する。この移動によりストッパ部５２ｂは音発生部材６７への当接から外れるため、音発生部材６７は凹み状から凸状となるように反転する。この反転の際に音が発生するため、ワンタッチ着脱装置をモータ軸４から取り外したことを音で判断することができる。
【０１０８】
（実施の形態８）
図３４は本発明の実施の形態８におけるファンのワンタッチ着脱装置の断面図を示す。この実施の形態におけるファンのワンタッチ着脱装置は、実施の形態３〜７におけるホールド機構５１を変更し、他の構造は実施の形態３〜７と同様となっている。従って、実施の形態３〜７の部材と同一の符号を付して対応させることにより各部材の説明を省略する。
【０１０９】
この実施の形態におけるホールド機構５１は、コイルばねからなるホールドばね７１によって全体が形成されるものである。ホールドばね７１はベース１０内に取り付けられるピッチ巻き（粗巻き）の押圧コイル部７１ａと、押圧コイル部７１ａに連設された密着巻きのホールドコイル部７１ｂとによって形成されている。ホールドコイル部７１ｂはロック駒１２、１３の間に位置するようにホールドばね７１がモータ軸挿入孔１０ａ内に挿入され、前記ホールドキャップ５２と同じ機能を果たす部分となる。又、ホールドコイル部７１ｂはモータ軸４がモータ軸挿入孔１０ａ内に挿入されたとき、モータ軸４のねじ部４ａが当接してモータ軸４により押圧される。
【０１１０】
このような構造においてモータ軸４がモータ軸挿入孔１０ａ内に挿入されていない状態では、ホールドコイル部７１ｂが押圧コイル部７１ａに付勢されており、この付勢によりロック駒１２、１３の間に位置する。このため、ロック駒１２、１３がモータ軸挿入孔１０ａ内へ進出することが阻止される。これに対し、モータ軸４がモータ軸挿入孔１０ａ内に挿入されるとホールドコイル部７１ｂがモータ軸４に押されるため、ロック駒１２、１３の間から退避する。これによりロック駒１２、１３がモータ軸挿入孔１０ａ内に進出してモータ軸４のねじ部４ａと係合する。この係合によりワンタッチ着脱装置のモータ軸４への装着が行われる。このような実施形態では、ホールド機構５１を単一のコイルばねによって形成できるため、部品点数が少なくなり、簡単な構造とすることができる。
【０１１１】
（実施の形態９）
図３５は本発明の実施の形態９におけるファンのワンタッチ着脱装置の断面図を示す。この実施の形態のワンタッチ着脱装置は、実施の形態６におけるホールド機構５１を変更し、他の構造は実施の形態６と同様となっている。従って、実施の形態６の部材と同一の符号を付して対応させることにより各部材の説明を省略する。
【０１１２】
この実施の形態においては、ホールド機構５１におけるホールドキャップ５２を変更するものである。ホールドキャップ５２は実施の形態３〜７と同様に上面部が閉じ、下面部が開放された筒状に形成された筒状部分７３と、筒状部分７３に一体に形成された当接アーム部７２とを有している。そして、モータ軸４をモータ軸挿入孔１０ａ内に挿入することにより筒状部分７３がモータ軸４のねじ部４ａに押されるようになっている。当接アーム部７２は筒状部分７３から作用駒１５の方向に延びるようになっている。作用駒１５はロック駒１２と共に係合片４１を形成する構成部材であり、この実施の形態では、作用駒１５はモータ軸挿入孔１２ａの片側に配置されている。
【０１１３】
当接アーム部７２は作用駒１５に係合しているロック駒１２を跨いだ状態で作用駒１５の端面（右端面）に当接するように延びている。これによりモータ軸４がモータ軸挿入孔１０ａ内に挿入されておらず、ホールドキャップ５２がモータ軸挿入孔１０ａ内に位置している状態では、当接アーム部７２は作用駒１５をモータ軸挿入孔１０ａから遠ざかるように押している。従って、この状態では、当接アーム部７２は作用駒１５に係合しているロック駒１２がモータ軸挿入孔１０ａに進出することを阻止している。これに対し、モータ軸４をモータ軸挿入孔１０ａ内に挿入してホールドキャップ５２がモータ軸挿入孔１０ａから抜け出ると、当接アーム部７２が作用駒１５との当接から外れるため、ロック駒１２がモータ軸挿入孔１０ａ内に進出可能となり、これによりロック駒１２のねじ部１２ａがモータ軸４のねじ部４ａと係合してワンタッチ着脱装置のモータ軸４への装着が行われる。このような構造では、ロック駒１２の上下方向の動きをホールド機構５１が阻害することがないため、ロック駒１２のねじ部１２ａとモータ軸４のねじ部４ａとの係合をさらに円滑に行うことができる。
【符号の説明】
【０１１４】
１  ワンタッチ着脱装置
２  ファン
３  ファンモータ
４  モータ軸
４ａ  ねじ部
５  カバー
６  操作部材
８  戻しばね
１０  ベース
１０ａ  モータ軸挿入孔
１０ｂ  円形軸部
１２，１３  ロック駒
１２ａ、１２ｂ  連結部
１２ｃ、１３ｃ  テーパ部
１４  弾性体
１５、１６  作用駒
１５ｃ、１６ｃ  テーパ面
２２  ガイド部
２３  操作部
３１、３２  係合機構
３３、３４  第１係合凸部
３５、３６  第２係合凸部
３７、３８  内径変化部
３９、４０  支持凸部
４１  係合片
４２  被係合部
４３  係合部
４４  くびれ部
５１  ホールド機構
５２  ホールドキャップ
５３  押圧ばね
【図１】
2012026471.tif 000003
【図２】
2012026471.tif 000004
【図３】
2012026471.tif 000005
【図４】
2012026471.tif 000006
【図５】
2012026471.tif 000007
【図６】
2012026471.tif 000008
【図７】
2012026471.tif 000009
【図８】
2012026471.tif 000010
【図９】
2012026471.tif 000011
【図１０】
2012026471.tif 000012
【図１１】
2012026471.tif 000013
【図１２】
2012026471.tif 000014
【図１３】
2012026471.tif 000015
【図１４】
2012026471.tif 000016
【図１５】
2012026471.tif 000017
【図１６】
2012026471.tif 000018
【図１７】
2012026471.tif 000019
【図１８】
2012026471.tif 000020
【図１９】
2012026471.tif 000021
【図２０】
2012026471.tif 000022
【図２１】
2012026471.tif 000023
【図２２】
2012026471.tif 000024
【図２３】
2012026471.tif 000025
【図２４】
2012026471.tif 000026
【図２５】
2012026471.tif 000027
【図２６】
2012026471.tif 000028
【図２７】
2012026471.tif 000029
【図２８】
2012026471.tif 000030
【図２９】
2012026471.tif 000031
【図３０】
2012026471.tif 000032
【図３１】
2012026471.tif 000033
【図３２】
2012026471.tif 000034
【図３３】
2012026471.tif 000035
【図３４】
2012026471.tif 000036
【図３５】
2012026471.tif 000037
【国際調査報告】
2012026471.tif 000038
2012026471.tif 000039
2012026471.tif 000040